(57)【要約】【課題】書類の出し入れが簡単で整理しやすく、また、簡単に組み立てることができるとともに、使用後のリサイクルが容易にできる再生紙製の書類整理用ケースを提供する。【解決手段】再生紙製の厚紙を折り曲げて形成された再生紙製の書類トレー１０が階段状に重ねられて再生紙製の厚紙１を折り曲げて形成された再生紙製のケース１１内に収納されている再生紙製の書類整理用ケースにおいて、書類トレー１０は、上部が解放され、底板、側板、背板、及び側板の上部に連設された支持板で構成され、ケース１１は、前面が解放され、天板、底板、側板及び背板で構成され、側板の前面側は書類トレーの階段状の傾斜に沿った傾斜した台形に形成されている。【選択図】図４
2011046176.tif 000002
【特許請求の範囲】
【請求項１】
再生紙製の厚紙を折り曲げて形成された再生紙製の書類トレーが階段状に重ねられて再生紙製の厚紙を折り曲げて形成された再生紙製のケース内に収納されている再生紙製の書類トレーケースにおいて、
書類トレーは、上部が解放され、底板、側板、背板、及び側板の上部に連設された支持板で構成され、
ケースは、前面が解放され、天板、底板、側板及び背板で構成され、側板の前面側は書類トレーの階段状の傾斜に沿った傾斜した台形に形成されていることを特徴とする再生紙製の書類整理用ケース。
【請求項２】
書類トレーの底板、側板及び背板、ケースの天板、底板及び側板にケース内側に折り曲げられた補強板が形成されていることを特徴とする請求項１記載の再生紙製の書類整理用ケース。
【請求項３】
左右の側板に最下段の書類トレーの側板に形成された係止用スリットに差し込む係止用差込片が形成されていることを特徴とする請求項１又は２記載の再生紙製の書類整理用ケース。
【請求項４】
下段の書類トレーの位置決め用スリットに、重ねられる上段の書類トレーの位置決め用差込片が差し込まれて階段状に位置決めされていることを特徴とする請求項１、２又は３記載の再生紙製の書類整理用ケース。
【発明の詳細な説明】
【技術分野】
【０００１】
本発明は、書類を整理するために使用する書類整理用ケースであって、再生紙製の書類トレーを階段状に多段に重ね、重ねた書類トレーを再生紙製のケース内に収納してなる再生紙製の書類整理用ケースに関する。
【背景技術】
【０００２】
従来から、伝票、カタログ、レターなどの書類を顧客別、商品別などに分類して整理するために多段式の書類入れなどが利用されている。
【０００３】
たとえば、特許文献１には、図５（ａ）に示すように、上下方向に積み重ねられた上段側のトレー状容器３１と下段側のトレー状容器３２と、この上下段のトレー状容器３１，３２を接続する伸縮自在なリンク装置３３とからなり、このリンク装置３３により、上段のトレー状容器３１が下側のトレー状容器３２の直上に位置して、下側のトレー状容器３２からも書類が取り出せるようにした多段式容器が記載されている。
【０００４】
また、特許文献２には、図５（ａ）に示すように、複数段の引出３４をキャビネット３５にスライド自在に組み込み、引出３４を引き出すことにより、下段の引出についても書類の出し入れができるトレー付キャビネットが記載されている。
【先行技術文献】
【特許文献】
【０００５】
【特許文献１】実開平０５−０４４５８１号公報
【特許文献２】実開平０７−００７９８１号公報
【発明の概要】
【発明が解決しようとする課題】
【０００６】
前記特許文献１のトレー状容器を重ねた多段式容器では、下段のトレー状容器に対する書類の出し入れの際には、上段のトレー状容器を上げる必要があるため、書類の出し入れが簡単にできないので不便である。
【０００７】
また、前記特許文献２のトレー付キャビネットは、書類の取り出しあるいは収納のたびに引出をキャビネットから出し入れしなくてはなくてはならないため、書類の出し入れに煩わしさがある。
【０００８】
また、前述の多段式容器及びトレー付キャビネットは、木製、プラスチック製あるいは金属製であるためにそれらの加工、製造に手間がかかるだけでなく、材料や製造コストもかかっていた。また、プラスチックなどは材質によっては簡単にリサイクルできないという欠点があった。
【０００９】
そこで、本発明は、書類の出し入れが簡単で整理しやすく、また、簡単に組み立てることができるとともに、使用後のリサイクルが容易にできる再生紙製の書類整理用ケースを提供するものである。
【課題を解決するための手段】
【００１０】
本発明は、再生紙製の厚紙を折り曲げて形成された再生紙製の書類トレーが階段状に重ねられて再生紙製の厚紙を折り曲げて形成された再生紙製のケース内に収納されている再生紙製の書類整理用ケースにおいて、書類トレーは、上部が解放され、底板、側板、背板、及び側板の上部に連設された支持板で構成され、ケースは、前面が解放され、天板、底板、側板及び背板で構成され、側板の前面側は書類トレーの階段状の傾斜に沿った傾斜した台形に形成されていることを特徴とする。
【００１１】
前記構成において、（１）トレーの底板、側板及び背板、ケースの天板、底板及び側板にケース内側に折り曲げられた補強板が形成され、（２）左右の側板に最下段の書類トレーの側板に形成された係止用スリットに差し込む係止用差込片が形成され、（３）下段の書類トレーの位置決め用スリットに、重ねられる上段の書類トレーの位置決め用差込片が差し込まれて階段状に位置決めされていることを特徴とする。
【発明の効果】
【００１２】
本発明の書類整理用ケースは、古雑誌古新聞紙などを含む再生紙を利用するので、低コストで製造することができる。また、再生紙の製造やその使用、廃棄処理の際に環境への悪影響が軽減され、また、木材資源の保全に役立つ。
【００１３】
前面が階段状となっているので、トレーを引き出す必要がないので、書類を容易に整理することが可能となる。
【図面の簡単な説明】
【００１４】
【図１】本発明のトレーを収納するケースの展開図である。
【図２】（ａ）は本発明の、最下段の書類トレーを除く他の書類トレーの展開図、（ｂ）は最下段の書類トレーの展開図である。
【図３】本発明の書類整理用ケースの組み立て分解図である。
【図４】本発明の書類整理用ケースの斜視図である。
【図５】（ａ）は従来の多段式容器の斜視図、（ｂ）は従来のトレー付キャビネットの斜視図である。
【発明を実施するための形態】
【００１５】
本発明の実施例を、図面を参照しながら説明する。
【実施例】
【００１６】
図１のケースの展開図において、ケースは再生紙製の厚紙１で形成される。厚紙１には、組み立て後に見える側となる面あるいは両面に模様を印刷したり、化粧紙を貼ったりすることにより、ケースの見映えがよくなる。
【００１７】
厚紙１には、図１の右から順に底板２、左の側板３、天板４および右の側板５が折り曲げ線６を介して連設されている。底板２、左右の側板３，５および天板４の背側のそれぞれには背板を形成するための分割された分割背板７が折り曲げ線６を介して延設されている。底板２には右の側板５の下部と貼着するのりしろ片８が形成されている。
【００１８】
底板２、左右の側板３，５および天板４の前側には補強板９が折り曲げ線６を介して延設されている。補強板９が折り曲げられると、裏側の印刷面あるいは化粧面が折り返されて再生紙の素地の部分がカバーされて見映えがよくなる。
【００１９】
左右の側板３，５は組み立て後に前面を天板４から底板２に向かって前方に傾斜させるため、前側の折り曲げ線６ａ，６ｂを傾斜させた台形に形成されている。
【００２０】
また、図１、図３、図２（ｂ）に示すように、左右の側板３，５には、多段に積まれたトレー１０がケース１１から飛び出さないように最下段のトレー１０ａを係止させるため、トレー１０ａの側板３，５に形成された係止用スリット１２に差し込む係止用差込片１３が形成されている。なお、係止用差込片１３が目立たないようにするため、天板４の補強片９の内側への折り曲げにより形成される段差に引っかかる部分を最上段のトレー１０に形成して抜けないようにしてもよい。
【００２１】
図２に示すトレー１０，１０ａの展開図において、底板１４の両側にはそれぞれ右の側板１５、左の側板１６が折り曲げ線１７を介して延設されている。底板１４の後方には背板１８が設けられ、底板１４の前方には、補強板１９が折り曲げ線１７を介して延設されている。補強板１９の折り曲げにより裏側の印刷面あるいは化粧面が折り返されて底板１４の再生紙の素地がカバーされて見映えがよくなる。
【００２２】
左右の側板１５，１６にはそれぞれ上に重ねられるトレー１０を支える支持板２０が延設されている。側板１５，１６の前後には、補強片２１，２２が延設されている。
【００２３】
背板１８には、それぞれ補強板２３が折り曲げ線２４を介して延設され、補強板２３の折曲により左右の側板１５，１６の背板側の補強片２１が挟持される。底板１４の前方の補強板１９により、左右の側板１５，１６の前側の補強片２２および背板の補強板２３が開かないように押さえられる。こうして側板１５，１６と背板１８が結合され、押さえられて垂直に起立する。また、補強板１９，２２，２３の折り曲げにより再生紙の素地の部分が隠されて見映えがよくなる。
【００２４】
最下段のトレー１０ａを除く重ねるトレー１０は、左右の側板１５，１６に位置決め用差込片２５が形成され、この位置決め用差込片２５は各側板１５，１６と支持板２０との折り曲げ線１７に形成された位置決め用スリット２６に差し込まれる。重ねる各トレー１０の位置決め用スリット２６は、階段状に重ねるため、その位置が前後方向にずらされている。
【００２５】
トレー１０が多段に積み重ねられる際に、上段のトレー１０の位置決め用差込片２５が側板１５，１６の起立により下向きに突出し、その下段のトレー１０，１０ａの位置決め用スリット２６に差し込むことにより階段状に位置決めされる。なお、最下段に位置するトレー１０ａには位置決め用差込片は必要はない。
【００２６】
再下段のトレー１０ａの底板１４と左右の側板１５，１６の折り曲げ線１７にはそれぞれ、ケース１１の左右の側板３，５の係止用差込片１３を差し込んでトレー１０ａをケース内に係止させるための係止用スリット１２が形成されている。
【００２７】
次に本発明の再生紙製トレーケースの組立手順について説明する。
【００２８】
まず、ケースの組み立は次のとおりである。
【００２９】
図１、図３において、厚紙１を底板２、左の側板３、天板４および右の側板５の境界の折り曲げ線６をそれぞれ９０度谷折りし、底板２ののりしろ片８を右の側板５の下部と貼着して四角枠を形成する。その後、分割背板７を互い違いに重ねて背板を形成する。次いで、底板２、左右の側板３，５および天板４のそれぞれの補強板９を折り曲げ線６に沿って谷折りして折り返して裏地の部分をカバーすることによりケース１１を組み立てる。
【００３０】
次に、トレーの組み立ては次のとおりである。
【００３１】
図２、図３において、左の側板１５及び右の側板１６の補強片２１を折り曲げ線１７に沿って折り曲げて起立させた後、左右の側板１５，１６及び背板１８を折り曲げ線１７に沿って曲げて起立させる。図２（ｂ）の最下段の書類トレー１０ａを除く図２（ａ）の他の書類トレー１０は、左右の側板１５，１６の起立により位置決め用差込片２５が下向きに突出する。
【００３２】
トレーの左右の側板１５，１６の背板側の補強片２１を背板１８の補強板２３を折り曲げ線２４に沿って折り曲げて挟持する。左右の側板１５，１６の前側の補強片２２を内側に折り曲げて側板１６に重ねる。次いで、底板１４の前方の補強板１９を折り曲げて底板１４に重ねることにより、側板１５，１６の前側の補強片２２および背板１８の補強板２３が開かないように押さえられる。
【００３３】
こうして、複数のトレーの準備が完了すると、最下段のトレー１０ａから順次階段状にずらして下向きに突出した位置決め用差込片２５が下段のトレー１０の位置決め用スリット２６に差し込むことにより階段状に位置決めして重ねて多段トレー２７を形成する。
【００３４】
次いで、多段トレー２７をケース１１の中に押し込んで収納し、最下段のトレー１０ａの側板１５，１６に形成された係止用スリット１２に、ケース１１に形成された係止用差込片１３を差し込んで多段トレー２７をケース１１から抜けないようにする。こうして、再生紙製の書類整理用ケース２８が完成する。
【符号の説明】
【００３５】
１：厚紙                ２：底板
３：左の側板            ４：天板
５：右の側板            ６：折り曲げ線
７：分割背板            ８：のりしろ片
９：補強板            １０：トレー
１１：ケース            １２：係止用スリット
１３：係止用差込片      １４：底板
１５：右の側板          １６：左の側板
１７：折り曲げ線        １８：背板
１９：補強板            ２０：支持板
２１：補強片            ２２：補強片
２３：補強板            ２４：折り曲げ線
２５：位置決め用差込片  ２６：位置決め用スリット
２７：多段トレー        ２８：書類整理用ケース
３１：上段トレー状容器  ３２：下段トレー状容器
３３：リンク装置        ３４：引出
３５：キャビネット
【図１】
2011046176.tif 000003
【図２】
2011046176.tif 000004
【図３】
2011046176.tif 000005
【図４】
2011046176.tif 000006
【図５】
2011046176.tif 000007